(57)【要約】 【課題】  衛生的な柑橘果物のスクイーザを提供する。【解決手段】  本発明の柑橘果物のスクイーザは、柑橘果物の切り欠き断片を収納するキャビティと、前記切り欠き断片を押し付けて、搾るフレキシブルなシートと、搾られてできたジュースの出口３を有する液体収納／輸送要素２とを有する。前記シートは、前記柑橘果物の切り欠き断片を包囲するフレキシブルな環状側壁１であり、前記液体収納／輸送要素２は、前記環状側壁１の第１エッジ１ａにその周囲で連結し、前記キャビティの底部を形成する。フレキシブルなシートに柑橘果物の切り欠き断片を押しつけて、ジュースを作る。キャップ５が、放出口１２を閉じる。前記環状側壁１と液体収納／輸送要素２とは、フレキシブルなポリマ例、プラチナ触媒のシリコンからモールド製法で形成される一体品である。【選択図】  図４
2010501310.tif 000002
【特許請求の範囲】
【請求項１】
（Ａ）柑橘果物の切り欠き断片を収納するキャビティと、
（Ｂ）前記切り欠き断片を押し付けて、搾るフレキシブルなシートと、
（Ｃ）搾られてできたジュースの出口（３）を有する液体収納／輸送要素（２）と、
を有する柑橘果物のスクイーザにおいて、
前記シートは、前記柑橘果物の切り欠き断片を包囲するフレキシブルな環状側壁（１）であり、
前記液体収納／輸送要素（２）は、前記環状側壁（１）の第１エッジ（１ａ）にその周囲で連結し、前記キャビティの底部を形成する
ことを特徴とする柑橘果物用スクイーザ。
【請求項２】
前記環状側壁（１）と液体収納／輸送要素（２）とは、フレキシブルなポリマからモールド製法で形成される一体品である
ことを特徴とする請求項１記載の柑橘果物用スクイーザ。
【請求項３】
前記環状側壁（１）は、前記液体収納／輸送要素（２）に連結される第１エッジ（１ａ）と第２エッジ（１ｂ）との間で、くびれた腰部（４）を規定する
ことを特徴とする請求項２記載の柑橘果物用スクイーザ。
【請求項４】
前記腰部（４）の周囲に、複数の軸方向ひだ（９）が形成され、前記環状側壁（１）内で、収縮部分を形成する
ことを特徴とする請求項３記載の柑橘果物用スクイーザ。
【請求項５】
前記出口（３）は、前記柑橘果物の種を通過させない大きさである
ことを特徴とする請求項２記載の柑橘果物用スクイーザ。
【請求項６】
前記出口（３）は、少なくとも１つのスリット（７）を有し、
前記スリット（７）は、キャビティ内の搾られたジュースにより加わる圧力により、前記液体収納／輸送要素（２）の材料の弾性変形により、開く
ことを特徴とする請求項５記載の柑橘果物用スクイーザ。
【請求項７】
前記スリット（７）は、前記液体収納／輸送要素（２）内に規定されたダイアフラム（８）の部分に形成され、
前記ダイアフラム（８）の部分は、圧力がない時には、キャビティの内側を向いて凸状をしており、前記キャビティの内側からジュースにより加わる力により、外側に折れ曲がる
ことを特徴とする請求項６記載の柑橘果物用スクイーザ。
【請求項８】
前記出口（３）は、キャップ（５）により閉じられる放出口（１２）に形成される
ことを特徴とする請求項５記載の柑橘果物用スクイーザ。
【請求項９】
前記キャップ（５）は、フレキシブルな接続コード（６）により、キャビティに取り付けられ、
前記キャップ（５）と接続コード（６）とは、前記環状側壁（１）と液体収納／輸送要素（２）を形成する一体品と一体である
ことを特徴とする請求項８記載の柑橘果物用スクイーザ。
【請求項１０】
前記フレキシブルのポリマは、プラチナ触媒のシリコンである
ことを特徴とする請求項２記載の柑橘果物用スクイーザ。
【発明の詳細な説明】
【技術分野】
【０００１】
本発明は、柑橘果物の切り欠き断片を収納するフレキシブルな材料製のキャビティを有し、そこに柑橘果物を手で押し付けて搾る柑橘果物のスクイーザに関する。この搾られたジュースは、キャビティの底に形成された出口から出る。
【背景技術】
【０００２】
例えばレモンの様な柑橘果物からジュースを得るためには、柑橘果物を半分に切り、この半分に切り取った部分を手で直接搾るかあるいは圧搾器を利用して搾る。この圧搾器は、一般的にジュースを収集するプレートから隆起した凸形状をしている。そしてこのスクイーザの場合には、ジュースは、レモンの半分に切り取った部分の下に容器を配置し手で搾る。このプロセスには、いくつかの欠点がある。まず手と柑橘果物のジュースが接触することは、衛生的ではなく、また手がねばねばする不快な感覚がある。さらにこのプロセスにおいては、柑橘果物を搾る際に、ジュースから種を分離することが難しく、種は別の操作方法／機械で分離しなければならなかった。
【先行技術文献】
【特許文献】
【０００３】
【特許文献１】特開平第０３−０３９１０９号明細書
【特許文献２】米国特許第Ａ２１７５０５２号明細書
【０００４】
更に、柑橘果物のジュースを香辛料あるいはドレッシングとして用いる場合には、必要なジュースの量は、柑橘果物の切り取った半分から抽出可能な全量よりも少ない。その為、柑橘果物の半分の一部のみを搾り、一部搾った半分をとっておき、後で使用する。しかし、柑橘果物の搾った半分を、良好な衛生状態で保存することは困難である。そのため柑橘果物の半分を捨ててしまい無駄が発生する。
【０００５】
特許文献１は、レモンスライスをその上に置く穴の開いたプレートが配置された収納可能な内部を有するレモンスライス・スクイーザを開示する。フレキシブルなシート製のカバーが、レモンスライスをカバーする収納容器に結合される。この収納容器は、搾り取られたジュース用出口を具備する液体収納／輸送要素のベースを有する。カバーを構成するフレキシブルなシートを指で押してレモンスライスを搾る時には、搾られたレモンジュースは穴の空いたプレートを通過し、液体収納／輸送要素のベースに流れて、出口から出る。このスクイーザにより搾り取る動作を良好な衛生状態で行うことができる。しかしこのスクイーザの欠点は、レモンの輪切りに限定されることであり、果物の他の部分、例えば、レモンあるいは他の柑橘果物の半分を搾ることができない点である。別の欠点は、このスクイーザは、少なくとも３つの部品から構成され、機械的な要件が厳しく、それ故に高い生産性と市販のコストが必要以上にかかってしまい、均一の材料の一体品からスクイーザを形成することは困難である。
【０００６】
特許文献２は、内部圧力を有する分配用容器のキャップを開示する。この容器は、ダイアフラム製のバルブを有する。このダイアフラム製のバルブは、圧力がかからない場合には、容器の内側に向いたダイアフラムの凸状部品を含む。スリットがこのダイアフラムに形成されている。ダイアフラムは、容器内に含まれる果物により容器の内側からかかる圧力により外側方向に折れ曲がる。これによりスリットが開き、ジュースの放出開口が提供できる。内側の圧力が無くなると、ダイアフラム材料内に存在する応力によりダイアフラムは、容器の内側方向を向いた凸状になり、これによりスリットを閉じる。
【発明の概要】
【発明が解決しようとする課題】
【０００７】
本発明の目的は、手と搾ってできたジュースとの接触を阻止し、柑橘果物の一部を搾ることができ、かつジュース用の出口を閉鎖する手段を有する柑橘果物のスクイーザを提供することである。これにより柑橘果物の部分的に搾った残りの部分を、良好な衛生状態の下で保存できる。
【０００８】
本発明の他の目的は、食用として使用できるように、非常に衛生的なフレキシブルな材料の一体品から形成され、かつ上記の目的を達成する柑橘果物のスクイーザを提供することである。
【課題を解決するための手段】
【０００９】
上記課題を解決するために、本発明の柑橘果物のスクイーザは、柑橘果物の切り欠き断片を収納するキャビティと、前記切り欠き断片を押し付けて、搾るフレキシブルなシートと、搾られてできたジュースの出口を有する液体収納／輸送要素とを有する。前記シートは、前記柑橘果物の切り欠き断片を包囲するフレキシブルな環状側壁であり、前記液体収納／輸送要素は、前記環状側壁の第１エッジにその周囲で連結し、前記キャビティの底部を形成する。
【００１０】
この構成により、柑橘果物の一部（例えば、レモンの半分）がキャビティ内に挿入され、その際に切り取った面が液体収納／輸送要素に面するように配置されて、フレキシブルな環状側壁をキャビティ内の柑橘果物に当てて手で搾る。かくして生成されたジュースを液体収納／輸送要素で集め出口から放出する。この出口は、柑橘果物の種を通さない程度の大きさであり、そのためジュースには種が含まれず、衛生状態も良く、人の手と接触することはない。従って、手を柑橘果物のジュースで汚すことはない。
【００１１】
更に、前記環状側壁と液体収納／輸送要素とは、フレキシブルなポリマ（好ましくは、プラチナ触媒のシリコン）からモールド製法で形成される一体品である。かくしてこの実施例によれば、この材料は、弾性的で非常に衛生的にも良い。
【００１２】
フレキシブルな環状側壁は、前記液体収納／輸送要素に連結される第１エッジと第２エッジとの間で、くびれた腰部（４）を規定する。前記腰部の周囲に、複数の軸方向ひだが形成され、前記環状側壁内で、収縮部分を形成する。腰部のキャビティの内側の寸法は、力のかからない状態においては、柑橘果物の切り欠き断片の外形よりもはるかに小さい。この材料の弾性特性により、又折り曲がりによる搾りと協働して、狭くなった腰部は内側の寸法が充分増加して柑橘果物の切り欠き断片が挿入可能となり、フレキシブルな環状側壁は、柑橘果物がキャビティ内に配置された時に、柑橘果物の切り欠き断片に弾性的に押し当てられ、キャビティ内に空気が入るのを阻止し、ジュースがフレキシブルな環状側壁と柑橘果物の切り欠き断片の間から出てくるのを阻止する。
【００１３】
本発明の一実施例においては、本発明の柑橘果物のスクイーザは、ジュース用出口を閉じる手段を有する。一部搾られた残った柑橘果物の一部は、本発明のスクイーザのキャビティの出口をキャップで閉じ、冷蔵庫内に所定の期間、良好な衛生状態で保存できる。その為、柑橘果物の切り欠き断片は、その後何回も搾ることが可能となる。同様に、本発明のスクイーザのキャビティ内に収納された部分的に搾られた断片は、ジュース用出口を閉じた状態で、冷蔵庫の棚あるいは台所の作業台の上に置かれる。これは柑橘果物の切り取り部分が、汚染されることなく、あるいは表面が柑橘果物のジュースで汚れるリスクもない。
【図面の簡単な説明】
【００１４】
【図１】本発明の一実施例による柑橘果物のスクイーザの側面図。
【図２】図１の柑橘果物のスクイーザの上面図。
【図３】図１の線ＩＩＩ−ＩＩＩの面に沿った断面図。
【図４】レモンの半分Ｃがキャビティ内に挿入された状態の柑橘果物のスクイーザの断面図。
【図５】ジュース用出口にダイアフラム製バルブを有する本発明の他の実施例の柑橘果物のスクイーザの断面図。
【図６】ダイアフラム製バルブが閉じた状態にある図５のＶＩの拡大詳細図。
【図７】ダイアフラム製バルブが開いた状態にある図５のＶＩの拡大詳細図。
【図８】ジュース用出口用のキャップを有する本発明の他の実施例の柑橘果物のスクイーザの側面図。
【発明を実施するための形態】
【００１５】
図１−４を参照すると、本発明の柑橘果物のスクイーザは、液体収納／輸送要素２に取り付けられたフレキシブルなシート製の環状側壁１を有する。これにより柑橘果物の切り欠き断片を収納するキャビティを構成する。フレキシブルな環状側壁１は、スリーブの形状をしており、第１（下側）環状エッジ１ａと第２（上側）環状エッジ１ｂとを有する。第１環状エッジ１ａは液体収納／輸送要素２に連結される。液体収納／輸送要素２は、キャビティのベースを形成し、第２環状エッジ１ｂが入口端部を形成する。液体収納／輸送要素２は、その中心領域の方向に押し込まれた形状（漏斗形状）をしている。この中心領域には、搾り取られたジュース用の出口３がある。ジュース出口３は、放出口１２内に形成される。このジュース出口３は、柑橘果物の切り欠き断片内にある種が通過できない程度の大きさである。環状側壁１により形成されたフレキシブルなシートは、キャビティ内に配置された柑橘果物の切り欠き断片を包囲し、この柑橘果物の切り欠き断片を手で押して柑橘果物を搾る。その結果得られたジュースは、液体収納／輸送要素２で集められ、それに沿って流され、ジュース出口３から出る。その際種は、ジュース出口３の適切な寸法により、キャビティ内に残る。
【００１６】
環状側壁１と液体収納／輸送要素２は、フレキシブルなポリマをモールドすることにより形成される一体品で形成される。より具体的には、フレキシブルなポリマは、プラチナ触媒シリコンである。
【００１７】
この実施例において、環状側壁１は、第１環状エッジ１ａと第２環状エッジ１ｂの間でくびれた腰部４を規定する。さらに複数の軸方向ひだ（凹凸）９は、腰部４の周囲に配置されて、フレキシブルな環状側壁１内に搾り（収縮部分）を形成する。図４に示すように、この材料の弾性特性の機能により、軸方向ひだ９により提供される搾りと共働することにより、腰部４は、柑橘果物の切り欠き断片（例えば、レモンの半分）Ｃをキャビティ内に挿入することができる程度の寸法にまで、拡張する。このキャビティは、その切り欠き断片Ｃを、液体収納／輸送要素２の方向（図４に示すように下）に向けて、収納する。柑橘果物の切り欠き断片Ｃがキャビティの内側の位置に入ると、環状側壁１の材料の弾性特性により、腰部４は、柑橘果物の切り欠き断片Ｃの外皮あるいは他の部分に当たって、切り欠き断片Ｃを押しつける。
【００１８】
図５−７を参照すると、本発明の他の実施例の柑橘果物のスクイーザは、ジュース用出口３を閉じるダイアフラム製のバルブ１０を有する。このダイアフラム製バルブ１０は、特許文献２に開示された原理に基づいて動作する。ダイアフラム製バルブ１０は、液体収納／輸送要素２と一体品で形成され、その結果、この一体品の柑橘果物のスクイーザは、フレキシブルなポリマ（例えば、プラチナ触媒シリコン）から、モールド製法で形成される。ダイアフラム製バルブ１０は、ダイアフラム８の形体の部分を有する。ダイアフラム８は、キャビティ内に圧力が存在しない場合には、キャビティの内側を向いた凸形状をしている（図６）。スリット７がダイアフラム８の部分に形成されている。このスリット７は、ダイアフラム８の材料の弾性応力で閉じた状態に保持され、ダイアフラム８の部分は、キャビティの内側を向いた凸状態にある。ダイアフラム８の部分は、キャビティ内から搾り取られたジュースにより加わる内部圧力Ｐにより外側に折れ曲がことができる。ダイアフラム８の形体の部分が内部圧力Ｐの影響により外側に折れ曲がった場合（図７）、スリット７は開いてジュース出口３を形成する。内部圧力Ｐが無くなると、ダイアフラム８の材料の弾性応力により、ダイアフラム８の部分がキャビティの内側を向いた凸形状（図６）に戻り、スリット７が再び閉じ、ジュース用出口３も閉じる。ダイアフラム８の部分は、環状リブ１１により規定された円形のスペースの方向に伸びる。この環状リブ１１は、液体収納／輸送要素２の中心領域で、外側を向いて突出している。
【００１９】
本発明の他の実施例（図示せず）によれば、スリット７は、液体収納／輸送要素２の中心領域に直接形成し、ジュース出口３を提供するキャビティ内からの搾り取られたジュースによりかかる力で、液体収納／輸送要素２の材料の弾性変形で、開くよう構成することもできる。その結果、液体収納／輸送要素２自体が、ダイアフラムとして機能する。同様に、複数の交差したり収束したりするスリットを形成することも可能である。
【００２０】
図８の他の実施例によれば、放出口１２内に形成されるジュース出口３がキャップ５の手段で閉じられる。キャップ５の紛失防止のために、キャップ５は、キャビティに、フレキシブルな接続コード６で取り付けられる。キャップ５と接続コード６は、環状側壁１と液体収納／輸送要素２を形成する同一部品の一体品として形成することもできる。その結果柑橘果物のスクイーザは、フレキシブルなポリマ（例えば、プラチナ触媒シリコン）からモールド製法で形成できる。接続コード６は、折り曲げられて、キャップ５をジュース出口３の放出口１２に結合する（図８の点線）。キャップ５が外された時には、接続コード６のフレキシブル材料の応力により、キャップ５をジュース出口３から離した状態に保持する。
【００２１】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【符号の説明】
【００２２】
１    環状側壁
１ａ  第１環状エッジ
１ｂ  第２環状エッジ
２    液体収納／輸送要素
３    ジュース出口
４    腰部
５    キャップ
６    接続コード
７    スリット
８    ダイアフラム
９    軸方向ひだ
１０  ダイアフラム製バルブ
１２  放出口
【図１】
2010501310.tif 000003
【図２】
2010501310.tif 000004
【図３】
2010501310.tif 000005
【図４】
2010501310.tif 000006
【図５】
2010501310.tif 000007
【図６】
2010501310.tif 000008
【図７】
2010501310.tif 000009
【図８】
2010501310.tif 000010
【国際調査報告】
2010501310.tif 000011
2010501310.tif 000012
2010501310.tif 000013
2010501310.tif 000014